(57)【要約】【課題】作業員の記憶や意識に頼らずに危険予知を行うことができる通報器、管理センタ装置および危険予知通知システムを得る。【解決手段】使用者の位置を特定するＧＰＳ受信機２２と、ＧＰＳ受信機２２が特定した位置を管理センタ装置１と通信するための信号に変換する制御部２３とを備え、使用者に携帯される携帯用通報器２と、事故が起こりうる状況と場所の関連を示す危険予知情報と携帯用通報器２から取得した位置情報との照合に基づいて使用者に通知を行うか否かを判断し、通知を行う場合は危険予知情報を携帯用通報器２に送信するデータサーバ装置１２とを備え、携帯用通報器２はデータサーバ装置１２から受信した危険予知情報に基づいて使用者に通知を行う。【選択図】        図１
2004348261.tif 000002
【特許請求の範囲】
【請求項１】
使用者の位置を特定する位置特定器と、
前記使用者の状態を監視して監視データを生成する監視センサと、
前記位置特定器が特定した位置と、前記監視データとを外部装置と通信するための信号に変換する制御手段とを備えた、前記使用者が携帯する通報器。
【請求項２】
制御手段が、外部装置が送信した事故が起こりうる状況と場所の関連を示す危険予知情報を受信し、前記危険予知情報に基づいて使用者に通知を行うことを特徴とする請求項１記載の通報器。
【請求項３】
事故が起こりうる状況と場所の関連を示す危険予知情報を格納する記憶手段と、前記危険予知情報と外部装置から取得した位置情報との照合に基づいて使用者に通知を行うか否かを判断し、通知を行う場合は前記危険予知情報を前記外部装置に送信する危険予知情報取得手段とを備えた管理センタ装置。
【請求項４】
使用者の位置を特定する位置特定器と、
前記位置特定器が特定した位置を外部装置と通信するための信号に変換する制御手段とを備え、前記使用者に携帯される通報器と、
事故が起こりうる状況と場所の関連を示す危険予知情報と前記通報器から取得した位置情報との照合に基づいて使用者に通知を行うか否かを判断し、通知を行う場合は前記危険予知情報を前記通報器に送信する危険予知情報取得手段とを備え、
前記通報器は前記危険予知情報取得手段から受信した前記危険予知情報に基づいて使用者に通知を行う危険予知通報システム。
【請求項５】
通報器は、公衆網または自営網に対応する無線機と着脱可能な取り付けインタフェースを備えたことを特徴とする請求項４記載の危険予知通報システム。
【請求項６】
通報器が、使用者の状態を監視して監視データを生成する監視センサを備え、危険予知情報取得手段が、前記監視データに基づいて使用者の状態の異常を検出し、前記監視データと位置情報とに基づいて通知を行うことを特徴とする請求項４または請求項５記載の危険予知通報システム。
【発明の詳細な説明】
【０００１】
【発明の属する技術分野】
この発明は、事故が起こりうる状況、過去の事故事例に関する情報を作業員に通知することによって注意を促す危険予知通報システムに関するものである。
【０００２】
【従来の技術】
工事現場や危険を伴う作業現場等において作業員が危険予知を的確に行えるように、事前のミーティング等で作業に関連する危険個所、危険行動の直接原因を見つけ、その対策を考えたり過去の事故事例を紹介したりして作業員に認識させることがある。これを危険予知トレーニングと呼ぶ。従来の危険予知にはこのような個人の技能に関する危険予知トレーニングを活用したり、また、事故が起こりうる状況を記載した携帯用の危険予知カードを作業服の目視可能な位置に取り付けたりして、作業員に意識付けを行う方法があった。例えば、特許文献１は危険予知カードを備えた作業用装備品を開示している。
【０００３】
【特許文献１】
実用新案登録第３０２８２５４号公報
【０００４】
【発明が解決しようとする課題】
しかしながら、従来の危険予知の方法では、事前のミーティングで過去の事故事例を紹介し忘れたり、作業員が記憶違いを起こしたりすることなどによって同じ事故が繰り返し発生する可能性があるという課題があった。また、作業員が危険予知カードを携帯するようにしても、各作業員の意識や取り組み方によって危険予知に差が発生するという課題があった。
【０００５】
この発明は上記のような課題を解決するためになされたもので、作業員の記憶や意識に頼らずに危険予知を行うことができる通報器、管理センタ装置および危険予知通知システムを得ることを目的とする。
【０００６】
【課題を解決するための手段】
この発明に係る通報器は、使用者の位置を特定する位置特定器と、使用者の状態を監視して監視データを生成する監視センサと、位置特定器が特定した位置と、監視データとを外部装置と通信するための信号に変換する制御手段とを備え、使用者に携帯されるものである。
【０００７】
この発明に係る管理センタ装置は、事故が起こりうる状況と場所の関連を示す危険予知情報を格納する記憶手段と、危険予知情報と外部装置から取得した位置情報との照合に基づいて使用者に通知を行うか否かを判断し、通知を行う場合は危険予知情報を外部装置に送信する危険予知情報取得手段とを備えたものである。
【０００８】
この発明に係る危険予知通報システムは、使用者の位置を特定する位置特定器と、位置特定器が特定した位置を外部装置と通信するための信号に変換する制御手段とを備え、使用者に携帯される通報器と、事故が起こりうる状況と場所の関連を示す危険予知情報と通報器から取得した位置情報との照合に基づいて使用者に通知を行うか否かを判断し、通知を行う場合は危険予知情報を通報器に送信する危険予知情報取得手段とを備え、通報器は危険予知情報取得手段から受信した危険予知情報に基づいて使用者に通知を行うものである。
【０００９】
【発明の実施の形態】
以下、この発明の様々な実施の形態を説明する。
実施の形態１．
図１はこの発明の実施の形態１による危険予知通知システムのブロック図である。図に示すように、危険予知通知システムは、管理センタ装置１、携帯用通報器２を備える。管理センタ装置１は、モデム１１、データサーバ装置（記憶手段、危険予知情報取得手段）１２、パソコン１３、無線送受信機１４、アンテナ１５を備える。携帯用通報器２は、ＧＰＳ（Ｇｌｏｂａｌ  Ｐｏｓｉｔｉｏｎｉｎｇ  Ｓｙｓｔｅｍ）アンテナ２１、ＧＰＳ受信機（位置特定器）２２、制御部（制御手段）２３、無線送受信機２４、アンテナ２５、スピーカ２６を備える。作業員は作業中に携帯用通報器２を携帯する。
【００１０】
ＧＰＳアンテナ２１およびＧＰＳ受信機２２は、携帯用通報器２の位置を特定し、その情報を制御部２３に供給する。制御部２３は、取得した位置情報を無線通信するための信号に変換し、無線送受信機２４に供給する。無線送受信機２４は前記信号を搬送波３に重畳してアンテナ２５を介して管理センタ装置１に送信する。また、制御部２３は無線送受信機２４から取得した信号をスピーカ２６に供給する。スピーカ２６は、制御部２３から取得した信号を音声信号に変換して再生する。無線送受信機１４，２４には、業務用無線機、簡易無線機等の市販の無線機を用いてもよい。また、無線送受信機２４は特定の相手、この例では無線送受信機１４と通信するように設定されている。
【００１１】
管理センタ装置１はアンテナ２５を介して無線送受信機１４で携帯用通報器２からの信号を受信する。モデム１１は無線送受信機１４が受信した信号をデジタル変換してデータサーバ装置１２に供給する。データサーバ装置１２は、事故が起こりうる状況、過去の事故事例に関する危険予知情報を備える。例えば、事故が起こりうるまたは起こった場所、当該場所での注意事項、事故の種類等である。作業員または作業管理者等は、パソコン１３からデータサーバ装置１２に危険予知情報を入力する。
【００１２】
図２はこの実施の形態１による危険予知通知システムの動作を示すフローチャートであり、図３はタイミングチャートである。これらの図を参照して危険予知通知システムの動作について説明する。
作業員は作業開始時に携帯用通報器２の電源をオンにして携帯する（ステップＳＴ１００）。携帯用通報器２は電源がオンにされると、ＧＰＳアンテナ２１がＧＰＳ衛星からの信号を受信し、ＧＰＳ受信機２２に供給する。ＧＰＳ受信機２２は前記信号を解析して位置情報を取得し、制御部２３に供給する（ステップＳＴ１０１）。制御部２３は供給された位置情報を無線通信するための信号に変換する。また、制御部２３は作業開始情報、すなわち作業員が作業を開始したことを通知する情報を取得し、無線通信するための信号に変換する（ステップＳＴ１０２）。この作業開始情報は作業員が携帯用通報器２に電源を入れると発生する。無線送受信機２４は制御部２３によって変換された信号を搬送波３に重畳してアンテナ２５を介して管理センタ装置１に送信する（ステップＳＴ１０３）。
【００１３】
管理センタ装置１は携帯用通報器２からの信号をアンテナ１５で受信し、無線送受信機１４が前記信号を復調する（ステップＳＴ１０４）。続いて、モデム１１が前記信号をデジタル変換してデータサーバ装置１２に供給する。データサーバ装置１２は、供給された位置情報に基づいて危険予知情報を抽出する（ステップＳＴ１０５）。
【００１４】
データサーバ装置１２は、抽出した危険予知情報をモデム１１に供給する。モデム１１は、取得した情報をアナログ変換して無線送受信機１４に供給する。無線送受信機１４はアナログ変換された信号を搬送波３に重畳し、アンテナ１５を介して携帯用通報器２に送信する（ステップＳＴ１０６）。
【００１５】
携帯用通報器２は、アンテナ２５を介して信号を受信すると、無線送受信機２４が信号を復調して制御部２３に供給する（ステップＳＴ１０７）。制御部２３は、取得した信号をそのままスピーカ２６に供給してもよいし、例えば、取得した信号に基づいて作業員に通知したいメッセージを作成してスピーカ２６に供給してもよい。スピーカ２６は取得したデータを音声信号に変換し、再生する（ステップＳＴ１０８）。
【００１６】
図３に示すように、ＧＰＳ受信機２２は例えば周期Ｔ１で位置情報を取得する（ステップＳＴ１０９）。ＧＰＳ受信機２２が新たな位置情報を取得すると、制御部２３はこの位置情報と作業中情報、すなわち作業が継続している旨の情報とを無線通信するための信号に変換し、無線送受信機２４、アンテナ２５を介して管理センタ装置１に送信する（ステップＳＴ１１０）。作業中情報は、携帯用通報器２の電源が切られていなければ作業が継続していることを示す。管理センタ装置１はアンテナ１５、無線送受信機１４を介して前記信号を受信し（ステップＳＴ１１１）、モデム１１がデジタル変換してデータサーバ装置１２に供給する。データサーバ装置１２は、作業員に通知を行うか否かを判断し（ステップＳＴ１１２）、通知を行う場合は危険予知情報を抽出する。すなわち、危険予知情報に基づいて当該位置が事故が起こりうる場所、過去に事故が起こった場所に接近しているかどうかを判断し、接近していたら作業員に注意を促す通知を行うために危険予知情報を抽出する（ステップＳＴ１１３）。一方、接近していない場合はデータサーバ装置１２は何も抽出しない。
【００１７】
データサーバ装置１２は、抽出した危険予知情報をモデム１１に供給する。モデム１１は、取得した情報をアナログ変換して無線送受信機１４に供給する。無線送受信機１４はアナログ変換された信号をアンテナ１５を介して携帯用通報器２に送信する（ステップＳＴ１１４）。
【００１８】
携帯用通報器２は、アンテナ２５、無線送受信機２４を介して前記危険予知情報を受信し（ステップＳＴ１１５）、制御部２３に供給する。制御部２３は、取得した信号をそのままスピーカ２６に供給してもよいし、例えば、取得した信号に基づいて作業員に通知したいメッセージを作成してスピーカ２６に供給してもよい。スピーカ２６は取得した信号を音声信号に変換し、再生する（ステップＳＴ１１６）。
【００１９】
ＧＰＳ受信機２２は、作業員が作業を終了し、携帯用通報器２の電源をオフにするまで周期Ｔ１で位置情報を取得し、ステップＳＴ１０９からステップＳＴ１１６までの処理を繰り返す。また、作業員または作業管理者はパソコン１３から危険予知情報を適宜更新する。
【００２０】
以上のように、この実施の形態１によれば、携帯用通報器２がＧＰＳ受信機２２によって位置を特定して管理センタ装置１に送信し、管理センタ装置１が前記位置に基づいて危険予知情報を抽出して携帯用通報器２に送信し、携帯用通報器２が危険予知情報を作業員に通知するようにしたので、作業員に自動的に注意を促す通知をすることができる効果がある。
【００２１】
なお、通信機２はＧＰＳアンテナ２１、ＧＰＳ受信機２２の代わりに準天頂衛星通信システムアンテナ、準天頂衛星通信システム受信機を搭載してもよい。
【００２２】
実施の形態２．
図４は、この発明の実施の形態２による危険予知通知システムのブロック図である。図において、図１と共通する要素には同一符号を付し、その説明を省略する。この実施の形態２による危険予知通知システムでは、管理センタ装置１と携帯用通報器２とは公衆網または自営網等のネットワーク４を介して通信を行う。携帯用通報器２は、実施の形態１の無線送受信機２４、アンテナ２５の代わりに公衆網または自営網等のネットワーク４に対応する無線機２７を備える。無線機２７はコネクタを介して携帯用通報器２と着脱可能である。無線機２７は、例えば携帯電話、衛星携帯電話、自動車電話、ＰＨＳ（Ｐｅｒｓｏｎａｌ  Ｈａｎｄｙｐｈｏｎｅ  Ｓｙｓｔｅｍ）、事業者用ＰＨＳ等のハンドセット、端末またはカードである。また、管理センタ装置１のモデム１１は、ネットワーク４と接続する。
【００２３】
携帯用通報器２において、制御部２３はＧＰＳ受信機２２が取得した位置情報、および作業開始情報、すなわち作業員が作業を開始したことを通知する情報を無線機２７を介して送信する。管理センタ装置１は、公衆網または自営網等のネットワーク４を介してモデム１１で前記情報を受信する。一方、管理センタ装置１のデータサーバ装置１２が抽出したデータはモデム１１が公衆網または自営網等のネットワーク４を介して送信し、無線機２７を介して携帯用通報器２が受信する。無線機２７は受信したデータを制御部２３に供給する。他の構成要素の動作は実施の形態１で示した動作と同様である。
【００２４】
以上のように、この実施の形態２によれば、携帯用通報器２は公衆網または自営網等のネットワーク４と通信可能な無線機２７を介して管理センタ装置１と通信を行うようにしたので、管理センタ装置１と携帯用通報器２は内部に無線送受信機１４，２４、アンテナ１５，２５を備えなくても作業員に自動的に注意を促す通知をすることができる効果がある。
【００２５】
実施の形態３．
図５は、この発明の実施の形態３による危険予知通知システムのブロック図である。図において、図１と共通する要素には同一符号を付し、その説明を省略する。この実施の形態３に係る携帯用通報器２は動態監視センサ（監視センサ）２８を備える。動態監視センサ２８は、携帯用通報器２を携帯する作業員の状態を監視するものであり、例えば加速度センサ、ジャイロ（角速度センサ）である。
【００２６】
動態監視センサ２８は、携帯用通報器２を携帯する作業員の状態を監視し、その情報を制御部２３に供給する。制御部２３は、位置情報、作業開始情報または作業中情報、動態監視センサ２８から供給された動態監視データを無線通信するための信号に変換して無線送受信機２４に供給する。無線送受信機２４はアンテナ２５を介して、位置情報、作業開始情報および動態監視データを管理センタ装置１に送信する。管理センタ装置１において、データサーバ装置１２は位置情報に基づいて危険予知情報を抽出するとともに、動態監視データを解析する。
【００２７】
データサーバ装置１２は、例えば、動態監視データを内蔵タイマと照合して長時間動かない場合など動態監視データの異常を検出したら、位置情報および動態監視データの状態を音声で通知したり、表示器等に表示したりして、管理センタ装置１の職員等に知らせることができる。
【００２８】
以上のように、この実施の形態３によれば、携帯用通報器２が動態監視センサ２８を備えるようにしたので、作業員が倒れたり動けなくなったりした場合に、作業員の状態と位置を管理センタ装置１の職員等に知らせることができる効果が得られる。
【００２９】
なお、実施の形態２と同様に携帯用通報器２と管理センタ装置１とは公衆網または自営網等のネットワークを介して通信を行い、携帯用通報器２は無線送受信機２４、アンテナ２５の代わりに公衆網または自営網等のネットワークに対応する無線機を備えるようにしてもよい。
【００３０】
実施の形態４．
図６は、この発明の実施の形態４による危険予知通知システムのブロック図である。図において、図１と共通する要素には同一符号を付し、その説明を省略する。この実施の形態４に係る携帯用通報器２は通知器２９を備える。通知器２９は、制御部２３から供給されたデータをＬＥＤ（Ｌｉｇｈｔ  Ｅｍｉｔｔｉｎｇ  Ｄｉｏｄｅ）等を使用した光またはＬＣＤ（Ｌｉｑｕｉｄ  Ｃｒｙｓｔａｌ  Ｄｉｓｐｌａｙ）等を使用した文字により、作業員に通知できる。また、通知器２９は、モータ機能を備え、振動によって作業員に通知することもできる。スピーカ２６から音声による通知を行わず、通知器２９による通知のみを行うようにしてもよい。
【００３１】
以上のように、この実施の形態４によれば、携帯用通報器２は通知器２９を備えるようにしたので、作業員は音声による通知の他に、光、文字、振動による通知を受けることができ、携帯用通報器２を使用する環境に適した通知方法を選択することができる。
【００３２】
【発明の効果】
以上のように、この発明によれば、危険予知通報システムは、使用者の位置を特定する位置特定器と、位置特定器が特定した位置を外部装置と通信するための信号に変換する制御手段とを備えた使用者に携帯される通報器と、事故が起こりうる状況と場所の関連を示す危険予知情報と通報器から取得した位置情報との照合に基づいて使用者に通知を行うか否かを判断し、通知を行う場合は危険予知情報を通報器に送信する危険予知情報取得手段とを備え、通報器は危険予知情報取得手段から受信した危険予知情報に基づいて使用者に通知を行うように構成したので、作業員の記憶や意識に頼らずに危険予知を行うことができる効果がある。
【図面の簡単な説明】
【図１】この発明の実施の形態１による危険予知通知システムのブロック図である。
【図２】同実施の形態１による危険予知通知システムの動作を示すフローチャートである。
【図３】同実施の形態１による危険予知通知システムの動作を示すタイミングチャートである。
【図４】この発明の実施の形態２による危険予知通知システムのブロック図である。
【図５】この発明の実施の形態３による危険予知通知システムのブロック図である。
【図６】この発明の実施の形態４による危険予知通知システムのブロック図である。
【符号の説明】
１  管理センタ装置、２  携帯用通報器、３  搬送波、４  ネットワーク、１１  モデム、１２  データサーバ装置、１３  パソコン、１４，２４  無線機送受信機、１５，２５  アンテナ、２１  ＧＰＳアンテナ、２２  ＧＰＳ受信機、２３  制御部、２６  スピーカ、２７  無線機、２８  動態監視センサ、２９  通知器。
【図１】
2004348261.tif 000003
【図２】
2004348261.tif 000004
【図３】
2004348261.tif 000005
【図４】
2004348261.tif 000006
【図５】
2004348261.tif 000007
【図６】
2004348261.tif 000008